(57)【特許請求の範囲】
【請求項１】
ケース(1)にプリント基板(2)が内蔵されており、このプリント基板(2)には、充電接点(8)が固定されており、充電接点(8)は、ケース(1)の電極窓(9)から装着部(4)に表出して、装着部(4)に装着される電池の電極に接続されるように構成されてなる充電器であって、下記の全ての構成を有することを特徴とする充電器。
（ａ）  充電接点(8)は、プリント基板(2)に固定されて、一部をケース(1)の電極窓(9)から装着部(4)に表出させている。
（ｂ）  プリント基板(2)の上面に接触して、充電接点(8)を内側に配設する区画リブ(11)がケース(1)に設けられており、この区画リブ(11)の内側に配設される充電接点(8)がケース(1)の電極窓(9)から装着部(4)に表出している。
（ｃ）  電極窓(9)からケース(1)内に浸入する液体が、区画リブ(11)で区画されてプリント基板(2)の表面に拡散するのが防止されて、ケース(1)に設けた排液路(12)からケース(1)の外部に排出されるように構成されている。
【請求項２】
ケース(1)が、上下に分割されたプラスチック製の上ケース(1A)と下ケース(1B)からなり、上ケース(1A)の内面に突出して区画リブ(11)が一体成形されており、上ケース(1A)と下ケース(1B)を連結すると、区画リブ(11)がプリント基板(2)の上面に接触して配設される請求項１の充電器。
【請求項３】
区画リブ(11)がコ字状で、プリント基板(2)の端部に配設されてプリント基板(2)の端縁に排液路(12)を設けている請求項１の充電器。
【請求項４】
区画リブ(11)が方形状で、この区画リブ(11)の内側に位置して、プリント基板(2)を貫通して排液路(12)が開口されている請求項１の充電器。
【請求項５】
ケース(1)から突出して、電源コンセントに挿入して連結されるプラグ刃(3)が設けられており、このプラグ刃(3)の周囲に、漏液した電解液等の液体流動を阻止する流動阻止溝(16)を設けている請求項１の充電器。
【発明の詳細な説明】
【０００１】
【発明の属する技術分野】
本発明は、電池を充電する充電器に関し、とくに、電池から漏液した電解液や、外部から浸入する水で、ケース内の電子部品が故障するのを防止する充電器に関する。
【０００２】
【従来の技術】
充電器は、電池や電池を装着している電気機器等の被充電具を簡単に定位置に脱着するために、ケースに装着部を設けている。装着部には、電池の電極に対向する位置に電極窓を設け、この電極窓に充電接点を表出させている。充電接点が電池の電極に接続されて、電池は充電される。
【０００３】
【発明が解決しようとする課題】
ケースの装着部に電池を入れて充電するとき、電池から電解液が漏れることがある。たとえば、電池は過充電状態になると、電解液が漏れることがある。過充電状態になると、電池の内圧が異常に高くなって安全弁が開くからである。漏れた電解液は、電極窓から充電器のケース内に浸入する。ケース内に浸入した電解液は、漏電等の原因となるばかりでなく、電子パーツをショートさせ、あるいは、電気パーツを腐食させて故障の原因となる。とくに、浸入した電解液は導電性のある液体であるから、電子パーツは極めてショートしやすい状態になる。この弊害は、電極窓と充電接点との隙間を狭くして少なくできる。ただ、充電接点は、弾性的に変形して、装着部にセットされる電池等の充電端子に押圧して接続されるので、充電接点と電極窓との間には、充電接点を無理なく弾性的に移動できる隙間を設ける必要がある。充電接点が電極窓に接触して摺動すると、動きがスムーズでなくなり、充電端子と接点との接触不良の原因となる。このため、接点は、電池等の充電端子に確実に弾性的に押圧されるように、電極窓に接触しないようにする必要がある。このため、電極窓は、ここから電解液が浸入しないように小さくできない。
【０００４】
さらに、充電器は、電解液のみでなく、電極窓から水等が浸入することもある。水は、導電性があるので、電解液と同じように、漏電等の原因となるばかりでなく、電子パーツをショートさせ、あるいは、電気パーツを腐食させて故障の原因となる。
【０００５】
本発明は、ケース内に浸入する電解液や水の弊害を防止するために開発されたものである。本発明の重要な目的は、電極窓からケース内に浸入する電解液等の弊害を有効に防止して、内部ショートや腐食等を確実に防止できる充電器を提供することにある。
【０００６】
【課題を解決するための手段】
本発明の充電器は、ケース１にプリント基板２を内蔵している。プリント基板２は、電池の電極に接続される充電接点８を固定している。充電接点８は、ケース１の電極窓９から装着部４に表出して、装着部４に装着される電池の電極に接続される。さらに、本発明の充電器は、下記の独特の構成を有する。
（ａ）  充電接点８は、プリント基板２の上面に固定されて、一部をケース１の電極窓９から装着部４に表出させている。
（ｂ）  プリント基板２の上面に接触して、充電接点８を内側に配設する区画リブ１１がケース１に設けられており、この区画リブ１１の内側に配設される充電接点８がケース１の電極窓９から装着部４に表出している。
（ｃ）  電極窓９からケース１内に浸入する液体が、区画リブ１１で区画されてプリント基板２の表面に拡散するのが防止されて、ケース１に設けた排液路１２からケース１の外部に排出されるように構成されている。
【０００７】
本発明の請求項２の充電器は、ケース１を、上下に分割されたプラスチック製の上ケース１Ａと下ケース１Ｂで構成する。上ケース１Ａは、内面に突出して、区画リブ１１を一体成形している。上ケース１Ａと下ケース１Ｂを連結すると、区画リブ１１はプリント基板２の上面に接触し、電極窓９から浸入する液体がプリント基板２の表面に拡散するのを防止する。
【０００８】
さらに、本発明の請求項５の充電器は、ケース１から突出して、電源コンセントに挿入して連結されるプラグ刃３を設けている。プラグ刃３の周囲には、漏液した電解液や水等の流動を阻止する流動阻止溝１６を設けている。
【０００９】
【発明の実施の形態】
以下、本発明の実施例を図面に基づいて説明する。ただし、以下に示す実施例は、本発明の技術思想を具体化するための充電器を例示するものであって、本発明は充電器を下記のものに特定しない。
【００１０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１と図２に示す充電器は、ケース１に、プリント基板とトランスとを内蔵しており、さらに、ケース１の底面に突出してプラグ刃３を固定している。
【００１２】
ケース１は、プラスチック製の上ケース１Ａと下ケース１Ｂからなる。上ケース１Ａは、電池を装着する装着部４を上面に設けている。上ケース１Ａと下ケース１Ｂを連結して、内部にプリント基板を内蔵させている。
【００１３】
装着部４は、上方を開口した溝形に成形して、中心に大きな貫通孔５を開口し、さらに、両側の側壁の中央部を低くして、電池を外しやすい形状としている。装着部４の貫通孔５は、ここから液体がケース１内に浸入しないように、図３の断面図に示すように、上ケース１Ａと下ケース１Ｂに一体成形された円筒状の円筒リブ６で閉塞されている。円筒リブ６は、上ケース１Ａと下ケース１Ｂを連結した状態で、隙間なく連結されて、貫通孔５から液体等が浸入するのを防止する。さらに図に示すケース１は、装着部４に２本の円筒電池を並べて装着できるように、装着部４の中央に縦に隔壁７を設けている。
【００１４】
装着部４の両端には、図４に示すように、＋−の充電接点８を外部に表出させる電極窓９を開口している。電極窓９に配設される充電接点８は、装着部４にセットされた電池の＋−の電極に電気接続されて、電池を充電する。充電接点８は、プリント基板２に半田付して固定されて、充電回路に接続されている。
【００１５】
プリント基板２は、図３と図４の断面図に示すように、上ケース１Ａと下ケース１Ｂに挟着されて、ケース１内の定位置に配設される。図３は、プリント基板２の中央で切断した縦断面図、図４は充電接点８の位置で切断した縦断面図である。プリント基板２を挟着するために、下ケース１Ｂは、内面から上方に突出して、プリント基板２を載せる隔壁リブ１０、１５を一体成形している。上ケース１Ａは、プリント基板２の上面を押圧する区画リブ１１を一体成形している。下ケース１Ｂの隔壁リブ１０、１５と、上ケース１Ａの区画リブ１１でプリント基板２を挟着して定位置に固定する。
【００１６】
さらに、プリント基板２は、図３の断面図に示すように、円筒リブ６を貫通させる中心穴２Ａを開口している。中心穴２Ａに円筒リブ６が貫通されて、プリント基板２は、ケース１内の定位置に配設される。さらに、図４に示すように、プリント基板２には、区画リブ１１を貫通させる貫通孔２Ｂも開口している。ここに区画リブ１１を挿入して、プリント基板２はさらに正確に定位置に配設される。
【００１７】
プリント基板２には、図５と図６に示す形状の、＋−の充電接点８を固定している。＋側の充電接点８は、図５に示すように、全体の形状をＬ字状として、プリント基板２の上面に固定される。−側の充電接点８は、図６に示すように、全体をＬ字状とし、上端を折り返して、電池を弾性的に押圧できるようにしている。
【００１８】
図５は、＋側の充電接点近傍の分解斜視図である。この図は、上ケースに一体成形される区画リブ１１を、上ケースから分離した状態で記載している。いいかえると、上ケースを記載しないで、区画リブ１１のみを記載している。区画リブ１１は、図４の断面図に示すように、上ケース１Ａに一体成形される。図５に示すプリント基板２は、＋側の充電接点８を、図において左上の端縁から内側に固定して、＋側の充電接点８の左上に貫通孔２Ｂを開口している。区画リブ１１は、＋側の充電接点８に沿って流入する液体が、プリント基板２の表面に拡散しないように、＋側の充電接点８を内側に配設する方形状に成形されている。さらに、この図の区画リブ１１は、プリント基板２に設けられた貫通孔２Ｂに挿入されるコ字状の凸部１１Ａを設けている。この形状の区画リブ１１は、図４の断面図に示すように、プリント基板２の上面から貫通孔２Ｂの内面に密着されて、区画リブ１１の内側に流入する液体を、排液路１２を通過させて下方に流動させる。
【００１９】
プリント基板２の貫通孔２Ｂを通過した液体は、下ケース１Ｂの底面に設けられた排液路１２となる底穴１３から外部に流出される。したがって、下ケース１Ｂは、図７の底面図に示すように、底面に４つの底穴１３を開口している。これらの底穴１３は、充電接点８の下方に位置して開口されている。隔壁リブ１０は、プリント基板２の貫通孔２Ｂを通過した液体を、プリント基板２の下面に沿って拡散させないように、図４に示すように、上面をプリント基板２の下面に密着させている。いいかえると、隔壁リブ１０は、上面の形状を、プリント基板２の下面に密着できる形状に成形している。隔壁リブ１０の内側に底穴１３を開口している。さらに、図４に示すケース１は、上ケース１Ａに一体成形した区画リブ１１の下端を、下ケース１Ｂの隔壁リブ１０の内側に挿入できるように形成している。この構造の排液路１２は、充電接点８に沿ってケース内に流入する電解液等の液体を確実にケース外に排出できる。
【００２０】
図６は、−側の充電接点近傍の分解斜視図である。この図も、図５と同じように、上ケースに一体成形される区画リブ１１を、上ケースから分離した状態で記載している。この図のプリント基板２は、−側の充電接点８を、図において右上の端縁に固定して、端縁の右上を排液路１２としている。区画リブ１１は、−側の充電接点８に沿って流入する液体が、プリント基板２の表面に拡散しないように、−側の充電接点８を内側に配設する細長いコ形状に成形されている。この形状の区画リブ１１は、図４の断面図に示すように、プリント基板２の上面から端縁に密着されて、区画リブ１１の内側に流入する液体を、プリント基板２の端縁の排液路１２から下方に流動させる。
【００２１】
プリント基板２の端縁を通過した液体は、下ケース１Ｂの底面に設けられた排液路１２となる底穴１３から外部に流出される。隔壁リブ１５は、下ケース１Ｂの内面に沿う平行な形状に成形され、隔壁リブ１５と下ケース１Ｂとの間に排液路１２を設けている。隔壁リブ１５は、プリント基板２の下面に密着して、プリント基板２の端縁と区画リブ１１の内面の隙間を通過した液体を、プリント基板２の下面に沿って拡散させないように、底穴１３から排出する。底穴１３の上方に位置して、隔壁リブ１５の上面は、閉塞プレート１４を下ケース１Ｂと一体成形している。図４に断面図に示すように、閉塞プレート１４の一部は、プリント基板２の下面に密着するが、閉塞プレート１４はその両側を開口して排液路１２としているので、ここを通過して液体はケース外に排出される。閉塞プレート１４は、底穴１３から内部が露見しないように、底穴１３に対向するように形成されているので、充電器の外観を整えると同時に、底穴１３からゴミ等が侵入するのを防止する。
【００２２】
さらに、本発明の充電器は、図２と図７に示すように、電源コンセントに挿入して連結されるプラグ刃３の周囲で下ケース１Ｂの底面に、漏液した電解液や水等の流動を阻止する流動阻止溝１６を設けている。流動阻止溝１６は、これ等の図に示すように、プラグ刃３の周囲にコ字状に設けられており、流動阻止溝１６の両端は、ケース１の側面まで延長されている。流動阻止溝１６は、下ケース１Ｂの底面を２つの領域に区分しており、流動阻止溝１６で囲まれた領域に位置するプラグ刃３を、下ケース３の底面に設けられた排液路１２である底穴１３から隔離している。このため、流動阻止溝１６は、排液路１２を通過して底穴１３から流出した電解液等が、プラグ刃３の部分に流れるのを阻止して、ケース１の外部に排出された電解液等の液体が、プラグ刃３に接触して腐食させるのを有効に防止している。ただ、流動阻止溝は、その形状をコ字状に特定するものではない。流動阻止溝は、排液路である底穴と、プラグ刃とを区分できる全ての形状とすることができる。
【００２３】
【発明の効果】
本発明の充電器は、電解液等の液体がケース内に浸入して、液体に起因する故障を極減できる特長がある。それは、本発明の充電器が、プリント基板の上面に固定される充電接点の近傍を区画リブで区画し、この区画リブで区画される位置に排液路を設けて、ケース内に浸入する液体を区画リブの内側から排液路を通過して外部に排出するからである。とくに、本発明の充電器は、区画リブをプリント基板の上面に接触させて、これでもって液体がプリント基板の上面に拡散するのを防止するので、充電接点に沿ってケース内に浸入する液体が、プリント基板に拡散するのを確実に阻止できる特長がある。このため、本発明の充電器は、電極窓からケース内に浸入する電解液等の弊害を有効に防止して、内部ショートや腐食等を確実に防止できる特長が実現される。
【００２４】
さらに、本発明の請求項２の充電器は、上ケースと下ケースとを組み立てることによって、電解液等の液体拡散を阻止する区画リブを、プリント基板の表面の正確な位置に正確に配設して、電解液等の弊害を有効に防止できる特長がある。それは、区画リブを上ケースに一体成形して、上ケースと下ケースとを連結すると、区画リブがプリント基板の上面に接触する位置に配設されているからである。
【００２５】
さらに、本発明の請求項５の充電器は、プラグ刃の周囲に、漏液した電解液等の液体流動を阻止する流動阻止溝を設けているので、ケースの外部に排出された電解液等の液体が、プラグ刃に接触して腐食させるのを有効に防止できる特長がある。
【図面の簡単な説明】
【図１】本発明の実施例の充電器を示す斜視図
【図２】図１に示す充電器を底からみた斜視図
【図３】図１に示す充電器を中央で切断した縦断面図
【図４】図１に示す充電器を充電接点の位置で切断した縦断面図
【図５】図４に示す充電器の＋側の充電接点近傍の分解斜視図
【図６】図４に示す充電器の−側の充電接点近傍の分解斜視図
【図７】図１に示す充電器の底面図
【符号の説明】
１…ケース              １Ａ…上ケース      １Ｂ…下ケース
２…プリント基板        ２Ａ…中心穴        ２Ｂ…貫通孔
３…プラグ刃
４…装着部
５…貫通孔
６…円筒リブ
７…隔壁
８…充電接点
９…電極窓
１０…隔壁リブ
１１…区画リブ          １１Ａ…凸部
１２…排液路
１３…底穴
１４…閉塞プレート
１５…隔壁リブ
１６…流動阻止溝
【図１】
0003540542.tif 000002
【図２】
0003540542.tif 000003
【図３】
0003540542.tif 000004
【図４】
0003540542.tif 000005
【図５】
0003540542.tif 000006
【図６】
0003540542.tif 000007
【図７】
0003540542.tif 000008